(57)【要約】【課題】筐体本体にストラップ係止部材が美観を損なうことなく設けられると共に落下時の衝撃に耐えうる剛性を備え、且つベルトストラップの保持機能を高めることができる携帯電子機器を提供する。【解決手段】筐体８にストラップＨＳを係止するストラップ取付部１１，１２が設けられた携帯電子機器１であって、ストラップ取付部１１，１２は、板状基部、支柱Ｃ１，Ｃ２及び梁部Ｈを有するストラップ係止部材１３と、開口部及び内壁を有するストラップ係止部材収容部Ｒと、を備える。【選択図】図２
2010130166.tif 000002
【特許請求の範囲】
【請求項１】
筐体にストラップを係止するストラップ取付部が設けられた携帯電子機器であって、
前記ストラップ取付部は、
板状基部、前記板状基部から立設する一対の支柱及び前記一対の支柱の頂部にそれぞれ連結する梁部を有するストラップ係止部材と、
前記筐体の表面に開口して前記一対の支柱と前記梁部を収容する開口部及び前記開口部の内縁から筐体内部側に立設して前記板状基部に当接する内壁を有するストラップ係止部材収容部と、
を備えることを特徴とする携帯電子機器。
【請求項２】
前記ストラップ係止部材は、前記筐体よりも高剛性の強化樹脂からなることを特徴する請求項１に記載の携帯電子機器。
【請求項３】
前記ストラップ係止部材は、ガラス繊維を６０パーセント含有するナイロン樹脂からなることを特徴とする請求項２に記載の携帯電子機器。
【請求項４】
前記一対の支柱は平行に形成された壁部であり、前記梁部が前記一対の壁部のそれぞれの中央に連結されることを特徴とする請求項１から請求項３のうちいずれか一項に記載の携帯電子機器。
【請求項５】
前記内壁は、前記開口部の内縁全周に環状に立設し、前記板状基部に対して環状に密着することを特徴とする請求項１から請求項４のうちいずれか一項に記載の携帯電子機器。
【発明の詳細な説明】
【技術分野】
【０００１】
本発明は、携帯電話機、電子手帳あるいはデジタルカメラなどの携帯電子機器に関するものである。
【背景技術】
【０００２】
携帯電話機、ＰＤＡ（Personal Digital Assistant）、電子手帳あるいはデジタルカメラなどの各種携帯電子機器が提案されている。
このような携帯電子機器では、屋外で使用されることが多く、機能上片手で操作することも多いため常に滑落などの対策が必要であった。この対応策として被服に固定した紐に携帯電子機器を接続したり、ストラップを指に絡ませるなどの方法を取っていたが、操作性にも影響を与えるなど十分な対応策が得られていなかった。
その対応策の一つとして、紐状のストラップに代えてストラップベルトを使用した携帯電子機器が提案されている（例えば、特許文献１参照）。
【０００３】
このような携帯電子機器は、ストラップベルトを取付けるための一対のストラップ係止部材を、筐体本体の操作部裏面側の上下面に接着材などを使用して取り付けたもので、ストラップ係止部材は、裏面に接着面を有する支持板上面の両端に立設した一対の支柱頂部間に梁を連結した構成とされており、樹脂材により一体成型されている。
【特許文献１】特開２００６−２７９９０７号公報
【発明の開示】
【発明が解決しようとする課題】
【０００４】
ところが、特許文献１に開示される携帯電子機器では、ストラップ係止部材が筐体本体の操作部裏面側に接着剤などを使用して取付けられているため、操作部裏面側から一対の支柱や支柱間に連結した梁が突出した構成となっている。
このように、筐体本体裏面側の上下面に一対のストラップ係止部材が突出して凹凸部を形成した構成では、筐体の美観が損なわれるだけでなく、筐体本体の外形が大型化し、落下した際に裏面側から突出したストラップ係止部材が床面などに当接して破損する問題を有していた。
【０００５】
本発明は、上述した事情に鑑みてなされたもので、ストラップ係止部材が美観を損なうことなく筐体本体に設けられると共に落下時の衝撃に耐えうる剛性を備え、且つベルトストラップの保持機能を高めることができる携帯電子機器を提供することを目的とする。
【課題を解決するための手段】
【０００６】
本発明に係る携帯電子機器では、上記課題を解決するために以下の手段を採用した。
本発明は、筐体にストラップを係止するストラップ取付部が設けられた携帯電子機器であって、前記ストラップ取付部は、板状基部、前記板状基部から立設する一対の支柱及び前記一対の支柱の頂部にそれぞれ連結する梁部を有するストラップ係止部材と、前記筐体の表面に開口して前記一対の支柱と前記梁部を収容する開口部及び前記開口部の内縁から筐体内部側に立設して前記板状基部に当接する内壁を有するストラップ係止部材収容部と、を備えることを特徴とする。
【０００７】
この発明によれば、筐体の開口部内にストラップ係止部材が収容されてストラップを係止可能となる。したがって、筐体本体の表面が凹凸の少ないデザインが形成されるので外観を損なうことが抑えられる。
【０００８】
また、前記ストラップ係止部材は、前記筐体よりも高剛性の強化樹脂からなることを特徴とする。
この発明によれば、筐体本体が耐衝撃力に強い樹脂で形成され、ストラップ係止部材が筐体本体よりも高剛性の強化樹脂で形成されるため、落下時の衝撃による筐体の破損を防止することができる。
【０００９】
また、前記ストラップ係止部材は、ガラス繊維を６０パーセント含有するナイロン樹脂からなることを特徴とする。
この発明によれば、より高い強度を得ることができる。
【００１０】
また、前記一対の支柱は平行に形成された壁部であり、前記梁部が前記一対の壁部のそれぞれの中央に連結されることを特徴とする。
この発明によれば、前記ストラップ係止部材が平面視Ｈ型に形成されるので、落下時の衝撃に耐えうる高い剛性を備えることができる。
【００１１】
また、前記内壁は、前記開口部の内縁全周に環状に立設し、前記環状基部に対して環状に密着することを特徴とする。
この発明によれば、開口部の内縁全周に環状に立設した内壁が環状基部に対して環状に密着しているので、筐体内部へ塵埃の侵入を防止することができる。
【発明の効果】
【００１２】
本発明によれば、ストラップ係止部材が筐体の表面が凹凸の無いデザインで形成されるので携帯電子機器の美観を損なうことが抑えられる。また、落下時の衝撃に耐えうる剛性が備えられるので、損傷を防止することができる。また、ベルトストラップの保持機能を高めることができる。
【発明を実施するための最良の形態】
【００１３】
以下、本発明の携帯電子機器の実施形態について図を参照して説明する。
図１は、本発明の第一実施形態に係る携帯電話機１の正面図及び側面図である。
携帯電話機１は、例えば強化樹脂材で平面視略矩形状に形成されたフロントケース５と、このフロントケース５の厚さ方向に重ねあわせ可能なリヤケース６と、両ケース５，６を図示しない連結部により密接接合して筐体となる薄型のケース本体８が構成されている。
なお、ケース本体８（両ケース５，６）は、ポリカーボネート（ＰＣ）やＡＢＳ樹脂により形成される。
【００１４】
フロントケース５は、その表面に、テンキーやカーソルキーなどからなる操作部２、下端部に配置されたマイク３、上端部に配置されたスピーカー４、並びに各種情報を表示する液晶ディスプレイや有機ディスプレイ等の表示部１０を備えている。
【００１５】
図２は、本発明の第一実施形態に係る携帯電話機１の背面側を示す斜視図であって、（ａ）はハンドストラップＨＳのない状態、（ｂ）はハンドストラップＨＳを取り付けた状態を示す。
図３は、ストラップ取付部１１，１２を示す図であって、（ａ）は携帯電話機１の背面図、（ｂ）はＡ−Ａ断面図、（ｃ）はＢ−Ｂ断面図である。
【００１６】
ケース本体８のリヤケース６の上部にはカメラ７を備えると共に、リヤケース６の表面にはバッテリー収容部Ｂを挟んで上下面に略同一構成となる一対のストラップ取付部１１，１２を取り付けるための横長矩形状の開口部２０がそれぞれ形成されている。
なお、本実施形態では、ストラップ取付部１１，１２を一対設けた例を説明するが、１つの場合であってもよい。
【００１７】
ストラップ取付部１１，１２は、ベルト状のハンドストラップＨＳを係止するために横長形状に形成されたストラップホルダ１３と、リヤケース６の表面に開口する一対の開口部２０を含むストラップホルダ収容部Ｒとからなり、ストラップホルダ収容部Ｒにストラップホルダ１３が収容保持されるようになっている。
【００１８】
図４は、ストラップホルダ１３を示す図であって、（ａ）は平面図、（ｂ）は斜視図である。
ストラップホルダ１３は、開口部２０よりも一回り小さく形成されており、リヤケース６の裏面側からストラップホルダ１３をストラップホルダ収容部Ｒに挿入して開口部２０の内部に収容保持されるように構成されている。
すなわち、ストラップホルダ１３は、開口部２０よりも大きな外形で形成されると共に断面コ字型のベース部材１５を有しており、このベース部材１５がリヤケース６の開口部２０の内縁全周に環状に立設する内壁ＷＴの下端縁にリヤケース６の裏面側から当接するように取り付けられる。
【００１９】
また、ストラップホルダ１３は、ベース部材１５上面の両側から立設した幅広の壁部として形成される一対の支柱Ｃ１，Ｃ２と、これら板状に形成された支柱Ｃ１，Ｃ２の頂部中央にそれぞれ連結される梁部Ｈとを有しており、支柱Ｃ１，Ｃ２及び梁部Ｈがリヤケース６の開口部２０の内側から外部に露出するよう配置される。
そして、ベース部材１５、支柱Ｃ１，Ｃ２及び梁部Ｈにより形成される挿通孔１６に対して、ベルト状のハンドストラップＨＳを挿通し、係止できるようになっている。
【００２０】
なお、ストラップホルダ１３には、ベース部材１５の両端に、取付ネジＳを挿通保持するためのボス１８ａ，１８ｂも一体的に設けられている。更に、支柱Ｃ１，Ｃ２とボス１８ａ，１８ｂの間には上方に開口する一対の嵌合溝Ｍ２が形成されている。
【００２１】
また、ストラップホルダ１３は、例えばナイロン樹脂（ガラス繊維含有）等の強化樹脂材により一体成型されている。特に、ストラップホルダ１３を、ガラス繊維を６０パーセント程度含有するナイロン樹脂からなる強化樹脂で構成することで、高い引張り強度を得ることができる。
【００２２】
図５は、ストラップホルダ収容部Ｒを示す図であって、（ａ）はリヤケース６の内面を示す図、（ｂ）はＣ−Ｃ断面図、（ｃ）はＤ−Ｄ断面図である。
【００２３】
リヤケース６には、一対の開口部２０が形成されており、開口部２０の開口内縁全周には内面側に向けて矩形環状枠体に形成された内壁ＷＴ（傾斜壁Ｗ１，垂直側壁Ｗ２）が立設している。
また、内壁ＷＴの両外側には、ストラップホルダ１３のボス１８ａ，１８ｂに形成された一対のネジ孔２２に対応して、それぞれ雌ネジＴが螺設されている。
【００２４】
開口部２０は、リヤケース６の内面側内縁に突設された内壁ＷＴは、対向する長辺にそれぞれ形成された一対の傾斜壁Ｗ１と、対向する短辺にそれぞれ形成された垂直側壁Ｗ２とを有している。
また、傾斜壁Ｗ１の両端には、それぞれ垂直側壁Ｗ２との間に嵌合溝Ｍ１が形成されている。嵌合溝Ｍ１には、リヤケース６の内面側からストラップホルダ１３を開口部２０の内部に挿入した際に、一対の支柱Ｃ１，Ｃ２の両側縁が挿嵌されて、位置決めされるようになっている。
【００２５】
図６はストラップ取付部１１，１２の組立図、図７はストラップ取付部１１，１２の部分断面斜視図及び部分斜視図である。
ストラップ取付部１１，１２の組立の際には、ストラップホルダ１３をリヤケース６の内面側から開口部２０内に挿入し、ベース部材１５の上面を、ストラップホルダ収容部Ｒの内壁ＷＴ（傾斜壁Ｗ１，垂直側壁Ｗ２）の下端縁に密接状態で当接させる。
これより、支柱Ｃ１，Ｃ２の両側縁が嵌合溝Ｍ１に挿嵌され、支柱Ｃ１，Ｃ２の外側面は、垂直側壁Ｗ２の内壁に密接した状態となる。また、ストラップホルダ収容部Ｒの内壁ＷＴの短辺側下端縁が、支柱Ｃ１，Ｃ２の両外壁面とベース部材１５両端のボス１８ａ，１８ｂの間に形成された一対の嵌合溝Ｍ２にそれぞれ挿嵌される。
【００２６】
これにより、支柱Ｃ１，Ｃ２の両側縁が嵌合溝Ｍ１に挿嵌されるので、ストラップホルダ１３が位置決めされて、ベース部材１５の端に形成されたボス１８ａ，１８ｂのネジ孔２２をリヤケース６の内面に形成した雌ネジＴに正対させることができる。
【００２７】
また、支柱Ｃ１，Ｃ２の両側縁が嵌合溝Ｍ１に挿嵌されることで、開口部２０の内縁全周に環状に立設した内壁ＷＴ（傾斜壁Ｗ１，垂直側壁Ｗ２）の下端周縁を、ベース部材１５の上面に当接させて密着する。更に、支柱Ｃ１，Ｃ２の外壁面が開口部２０の短辺側の垂直側壁Ｗ２の内壁面に密接した状態となる。
これにより、ケース本体８内部への塵埃等の侵入を防止することができる。
【００２８】
そして、ボス１８ａ，１８ｂのネジ孔２２から取付ネジＳを挿通し、正対するリヤケース６内面側の雌ネジＴに締着することで、ストラップホルダ１３の支柱Ｃ１，Ｃ２及び梁部Ｈがストラップホルダ収容部Ｒの開口部２０に内側に収容され、ストラップ取付部１１，１２の組立てが完成する。
【００２９】
ストラップホルダ１３がストラップホルダ収容部Ｒに組込まれた状態では、図７（ａ）、（ｂ）に示すように、支柱Ｃ１，Ｃ２の頂部ないし梁部Ｈが、リヤケース６の表面から僅かに突出した状態（突出量ｈ）となる。このようにして、リヤケース６の長手方向の両端側に形成された一対の開口部２０の内部に一対の梁部Ｈが露出するので、この一対の梁部Ｈの間にハンドストラップＨＳが張設できる。
また、ストラップホルダ１３の左右にリアケース６から僅かに突出した凸部（不図示）を設けることで、より強化することもできる。
【００３０】
したがって、ケース本体８のリヤケース６の表面が凹凸の無いデザインに形成されるので外観を損なうことながく、しかもストラップホルダ１３は、落下時の衝撃から保護されるだけでなく、強度的に耐え得る剛性を備えることができる。
【００３１】
更に、ストラップホルダ１３は、開口部２０の内部に収容されて梁部Ｈがリヤケース６の表面と略面一な低い位置に設けられるので、ハンドストラップＨＳをリヤケース６の表面に近接した状態で張設される。したがって、ハンドストラップＨＳとリヤケース６の表面の間に片手を差し込んで保持した際に、ハンドストラップＨＳの張力により携帯電話機１を片手で確実に保持することができ、ハンドストラップＨＳの保持機能を高めることができる。
【００３２】
上述した実施の形態において示した各構成部材の諸形状や組み合わせ等は一例であって、本発明の主旨から逸脱しない範囲において設計要求等に基づき種々変更可能である。
【００３３】
例えば、本実施形態では、ストレート型（棒状）の携帯電話機について説明したが、これに限らず、開閉型、スライド型、リボルバ型等にも適用することができる。
また、携帯電話機以外にも、例えば、ＰＤＡ，デジタルカメラなどの携帯電子機器に適用することもできる。
【図面の簡単な説明】
【００３４】
【図１】本発明の第一実施形態に係る携帯電話機の正面図及び側面図である。
【図２】本発明の第一実施形態に係る携帯電話機１の背面側を示す斜視図である。
【図３】ストラップ取付部を示す図である。
【図４】ストラップホルダを示す図である。
【図５】ストラップホルダ収容部を示す図である。
【図６】ストラップ取付部の組立図である。
【図７】ストラップ取付部の部分断面斜視図及び部分斜視図である。
【符号の説明】
【００３５】
１…携帯電話機（携帯電子機器）、  ８…ケース本体（筐体）、  １１，１２…ストラップ取付部、  １３…ストラップホルダ（ストラップ係止部材）、  １５…ベース部材（板状基部）、  ２０…開口部、  Ｃ１，Ｃ２…支柱、  Ｈ…梁部、  ＷＴ…内壁、  Ｒ…ストラップ係止部材収容部、  ＨＳ…ハンドストラップ（ストラップ）
【図１】
2010130166.tif 000003
【図２】
2010130166.tif 000004
【図３】
2010130166.tif 000005
【図４】
2010130166.tif 000006
【図５】
2010130166.tif 000007
【図６】
2010130166.tif 000008
【図７】
2010130166.tif 000009